(57)【要約】【課題】自動閉鎖装置の故障を防止しつつ、設置作業が容易であり、さらに引戸の上端部に複数の装置を設置することができる引戸を提供する。【解決手段】戸枠を構成する敷居と鴨居３との間に設けられ敷居を走行しながら開閉する引戸本体４と、この引戸本体４を所定の開放位置から閉鎖位置まで自動的に閉鎖するためのバネ体８と、を備えた引戸２０において、鴨居３は、ロータリーダンパ６，ピニオンギア１０，固定具７，バネ体８等の装置類を収容可能な空間部Ｓを有し、引戸本体４を敷居上に設置した後に鴨居部材３ａ，３ｃを組み立てて形成されたことを特徴とする。前記装置類を鴨居３にぶつけるなどして故障したり破損したりすることを防止することができる。また、組み立て式の鴨居３としたため、鴨居３や引戸本体４への装置類の設置作業や、引戸２０の故障時のメンテナンス等の作業を容易に行うこともできる。【選択図】  図３
2007009491.tif 000002
【特許請求の範囲】
【請求項１】
戸枠を構成する敷居と鴨居との間に設けられ敷居を走行しながら開閉する引戸本体と、当該引戸本体を所定の開放位置から閉鎖位置まで自動的に閉鎖するための引戸クローザと、を備えた引戸において、
前記鴨居は、少なくとも前記引戸本体の上端部と前記引戸クローザとを収容可能な空間部を有し、前記引戸本体を前記敷居上に設置した後に複数の鴨居部材を組み立てて形成されたことを特徴とする引戸。
【請求項２】
さらに前記鴨居には、前記引戸本体の上端面に設けられ、前記引戸本体の閉鎖時に減速するための速度調節装置が収容された請求項１記載の引戸。
【請求項３】
前記鴨居の空間部側には前記引戸本体を安定走行させるためのラックが設けられ、
前記引戸本体の上端面または前記速度調節装置の一方には、前記鴨居に収容されて前記ラックと噛み合い水平方向に回転可能なピニオンギアが設けられた請求項１または２記載の引戸。
【請求項４】
前記引戸クローザは、端部が前記引戸本体と戸枠とに設けられたバネ体である請求項１から３のいずれかの項に記載の引戸。
【請求項５】
前記引戸クローザは、前記引戸本体と戸枠とに設けられた巻取りリールである請求項１から３のいずれかの項に記載の引戸。
【発明の詳細な説明】
【技術分野】
【０００１】
本発明は、ドアや障子等の引戸の開閉において、閉鎖する際には自動で行われる引戸に関する。
【背景技術】
【０００２】
ドアや障子等の引戸の開閉において、開ける際には人手により開けるの対し、閉鎖するときには自動で行われる引戸や引戸クローザが知られている。この引戸クローザとしては、例えば、特許文献１に記載された自動閉鎖装置が知られている。
【０００３】
この自動閉鎖装置は、引戸の上部の凹部内に、巻取りリールとこの巻取りリールを巻取側に付勢する付勢バネを配置し、巻取りリールに直進性巻線を巻き取らせ、この直進性巻線の端部は、引戸を閉鎖する方向において鴨居側に固定したものである。
【０００４】
【特許文献１】特開平１１−３００７１号公報
【発明の開示】
【発明が解決しようとする課題】
【０００５】
特許文献１に記載された自動閉鎖装置の場合、引戸を鴨居の溝に嵌める際に、引戸を手で保持して斜めに傾けながら作業を行うこととなる。この時、引戸の上端部に設置された自動閉鎖装置を鴨居にぶつけたり、鴨居になかなか嵌らず取り付けにくかったりして、自動閉鎖装置の故障を招く恐れがある。また、引戸を持ちながら鴨居の溝に嵌めなければならず、引戸の重量が大きい場合には、作業自体も大変手間である。
【０００６】
また、自動閉鎖装置が故障した場合には、逆の作業を行って引戸を外すこととなり、同様に作業が手間である。さらに、閉鎖時の速度を減速させる速度調節装置等を別途設ける場合、鴨居の溝が小さいため引戸の上部にはそのスペースが無く、設けることができない。
【０００７】
本発明が解決しようとする課題は、自動閉鎖装置（引戸クローザ）の故障を防止しつつ、設置作業が容易であり、さらに引戸の上部に複数の装置を設置することができる引戸を提供することにある。
【課題を解決するための手段】
【０００８】
本発明の引戸は、戸枠を構成する敷居と鴨居との間に設けられ敷居を走行しながら開閉する引戸本体と、この引戸本体を所定の開放位置から閉鎖位置まで自動的に閉鎖するための引戸クローザと、を備えた引戸において、鴨居は、少なくとも引戸本体の上端部と引戸クローザとを収容可能な空間部を有し、引戸本体を敷居上に設置した後に複数の鴨居部材を組み立てて形成されたことを特徴とする。
【０００９】
前述のような構成とすれば、引戸の施工時において、一旦、引戸本体を戸枠の敷居上に設けてから、引戸本体の上端部と引戸クローザとを空間部に位置させて鴨居に収容して、鴨居を組み立てて形成し引戸を完成することができる。このため、引戸本体の上端部に設けられた装置類を鴨居にぶつけて故障したり破損したりすることを防止することができる。また、組み立て式の鴨居としたため、鴨居や引戸本体への装置類の設置作業や、引戸のメンテナンス作業を容易に行うことができる。さらに、作業者は、引戸本体を持つときに傾ける必要がなく、引戸本体の設置作業も容易となる。
【００１０】
さらに鴨居には、引戸本体の上端面に設けられ、引戸本体の閉鎖時に減速するための速度調節装置を収容することができる。また、速度調節装置としては、ロータリーダンパやエアダンパを用いることができる。このように、速度調節装置を引戸本体の側面に設置せずに鴨居に収容したため、速度調節装置の故障や破損を防止することができるとともに、見た目にも良い。
【００１１】
また、鴨居の空間部側には引戸本体を安定走行させるためのラックを設け、引戸本体の上端面または速度調節装置の一方には、鴨居に収容されてラックと噛み合い水平方向に回転可能なピニオンギアを設けている。このような構成とすることにより、前述と同様の効果が得られ、ピニオンギアの故障や破損を防止することができるとともに、見た目にも良い。また、ピニオンギアを水平方向に回転するように設けたため、鴨居の空間部に配置させやすくなって、鴨居にコンパクトに収容することができ、引戸本体を安定走行させて開閉することができる。
【００１２】
ここで引戸クローザをバネ体とし、このバネ体の端部を引戸本体と戸枠とに設ければ、簡易な構造且つスペースを取らない構造とすることができるため、取り付け作業が容易になるとともに、省スペースで鴨居に収容することができる。
【００１３】
また、引戸クローザを巻取りリールとすることもできる。これを引戸本体と戸枠とに設ければ、前述と同様に、取り付け作業が容易になるとともに、省スペースで鴨居に収容することができる。
【発明の効果】
【００１４】
本発明の最大の特徴は、鴨居が、少なくとも引戸本体の上端部と引戸クローザとを収容可能な空間部を有し、引戸本体を敷居上に設置した後に複数の鴨居部材を組み立てて形成されることにある。引戸の施工時において、一旦、引戸本体を敷居上に設置した後に、鴨居を形成することができるため、引戸本体の上端部に設けられた装置を鴨居にぶつけて故障したり破損したりすることを防止することができる。また、組み立て式の鴨居としたため、鴨居や引戸本体への装置の設置作業や、引戸のメンテナンス等の作業を容易に行うことができる。
【発明を実施するための最良の形態】
【００１５】
以下、図面に基づいて、本発明の実施の形態について説明する。図１は本発明の実施の形態である引戸を示す正面図、図２は図１に示す引戸の鴨居の一部を外した場合の上端部付近を示す正面図、図３は図１におけるＡ−Ａ線断面図である。
図１に示すように、本発明の実施形態の引戸２０は、戸枠１を構成する敷居２と鴨居３との間に設けられ敷居２上を走行しながら開閉する引戸本体４を備えている。敷居２にはレール（図示せず）が敷設されており、引戸本体４の下端部にはレール上を走行して開閉するための車輪（図示せず）が設けられている。
【００１６】
また、図２，３に示すように、引戸本体４の上方には、この引戸本体４を所定の開放位置から閉鎖位置まで自動的に閉鎖するための引戸クローザ（自動閉鎖装置）であるバネ体８が設けられている。バネ体８は、戸枠１を構成する戸柱１ｂに設けられた係止具８ａと、引戸本体４の上端面に備わる固定具７に設けられた係止具８ｂとにより係止されて設けられている。またこのバネ体８は、引戸本体４を開けたときに伸び、その付勢力で引戸本体４を自動的に閉鎖するものである。鴨居３は、３つの鴨居部材３ａ，３ｂ，３ｃを組み立てて垂直断面が略コ字状に形成されるとともに、引戸本体４の上端部とバネ体８と、後述するロータリーダンパ６，ラック９，ピニオンギア１０とを収容可能な空間部Ｓを有している。
【００１７】
ここで、ロータリーダンパ６は、引戸本体４の上端面に設けられ、引戸本体４の閉鎖時に減速するための速度調節装置として機能する。ロータリーダンパ６の上端面には、複数の歯を有し水平方向に回転するピニオンギア１０が設けられており、後述する鴨居部材３ｂの凹部には、この長手方向に沿ってピニオンギア１０と噛み合うラック９が設けられている。
【００１８】
このラック９とピニオンギア１０とが噛み合うことにより、引戸本体４の上端部が鴨居の空間部Ｓにおいて安定することとなり、引戸本体４が敷居２上においてスムーズに走行できるようになっている。なお、ロータリーダンパ６が使用されない場合には、引戸本体４の上端面に直接ピニオンギア１０を設けて、ラック９と噛み合うようにしても良い。また、速度調節装置はロータリーダンパに限定されるものではなく、エアダンパを使用することもできる。
【００１９】
次に、鴨居３について詳細に説明する。鴨居３を構成する鴨居部材３ａは、垂直断面が矩形であり、長辺側の面が水平面となるように位置している。鴨居部材３ａの垂直断面の短辺側の面は垂直面となり、この両面には鴨居部材３ｂ，３ｃが固定部材であるネジ５により固定されている。鴨居部材３ｂ，３ｃは垂直断面がコ字状をなす同一形状のものであり、これらの鴨居部材３ｂ，３ｃの中央には凹部、両端部には凸部３ｂｕ，３ｂｌ，３ｃｕ，３ｃｌが形成されている。
【００２０】
鴨居部材３ｂ，３ｃは、これらの凹部を水平方向において対向し、上部の凸部３ｂｕ，３ｃｕが鴨居部材３ａに固定されて設けられている。このように設けることにより、凸部３ｂｌ，３ｃｌは間隔を置いて対向配置されることとなり、これが空間部Ｓの一部として機能する。以上のように鴨居３が形成されることにより、鴨居３の垂直断面が略コ字状に形成され、鴨居部材３ａの下面と、鴨居部材３ｂ，３ｃとにより空間部Ｓが形成されている。
【００２１】
鴨居３の寸法としては、鴨居部材３ａの水平方向の幅Ａは、引戸本体４の厚みよりもやや大きいものとしている。鴨居部材３ｂ，３ｃの上下方向の長さＢは約５６ｍｍ、水平方向の長さＣは約２０ｍｍである。また、上方に位置する凸部３ｂｕ，３ｃｕの幅Ｅは約２０ｍｍ、下方に位置する凸部３ｂｌ，３ｃｌの幅Ｇは約１０ｍｍである。凹部の幅Ｄは約２６ｍｍ、凹部の深さＦは約１０ｍｍとしている。このような寸法とすれば、前述の装置などを収容するための空間部Ｓを確保することができる。なお、鴨居３の寸法や形状はこれに限定されるものではなく、充分な空間部Ｓを有する形状であれば他の寸法や形状としても良い。
【００２２】
また、引戸本体４の上端面の位置は、鴨居部材３ｂ，３ｃの凸部３ｂｌ，３ｃｌの最下位の高さよりも高い位置に位置しており、外部から引戸本体４を見たときに前記上端面は見えないようになっている。また、鴨居部材３ｂ，３ｃと引戸本体４との間には、開閉時に接触しない程度のわずかな隙間が設けられている。このように隙間はわずかであるため、引戸本体４と鴨居部材３ｂ，３ｃとの隙間からゴミ等が侵入することを防止することができる。
【００２３】
次に、引戸２０の組み立て工程について、図４を用いて説明する。図４Ａ，図４Ｂは引戸２０の組み立て工程を示す概略図である。
図４Ａ（ａ）に示すように、戸柱１ａ，１ｂと、敷居（図示せず）と、鴨居部材３ａとを組み立てて釘等で固定して、戸枠の原型を作成する。ここで、戸柱１ａ，１ｂの先端部付近は突出部Ｘおよび肩Ｙが形成されており、この突出部Ｘの先端に鴨居部材３ａを挟持して固定する。
【００２４】
次に、図４Ａ（ｂ）に示すように、戸柱１ａ，１ｂの一方の肩Ｙに、鴨居部材３ｂを載置して、鴨居部材３ａ，３ｂをネジ５（図４（ｄ）参照）で固定する。
次に図４Ｂ（ｃ）において、ロータリーダンパ６を上端部に備えた引戸本体４を戸枠の敷居上に載せ、図３で示したように、ピニオンギア１０を空間部Ｓに位置させてラック９を噛み合わせる。さらに、図２で示したように、バネ体８の端部を引戸本体４の上端部と戸柱１ｂに固定具７を介して係止具８ａ，８ｂで取り付ける。
【００２５】
この後、図４Ｂ（ｄ）に示すように、戸柱１ａ，１ｂの他方の肩Ｙに、鴨居部材３ｃを載置して、鴨居部材３ａ，３ｃをネジ５で固定する。このとき、バネ体８は、鴨居部材３ｃの凹部に位置する。
【００２６】
以上のように、引戸２０の施工時において、一旦、引戸本体４を戸枠に設置し、ロータリーダンパ６，ピニオンギア１０，固定具７，バネ体８等の装置類を空間部Ｓに位置させた後に、鴨居３を組み立てて形成して引戸２０を完成することができる。このように鴨居３を形成すれば、前記装置類は鴨居３に収容されることとなる。これにより、前記装置類を鴨居３にぶつけるなどして故障したり破損したりすることを防止することができる。また、組み立て式の鴨居３としたため、鴨居３や引戸本体４への装置類の設置作業や、引戸２０の故障時のメンテナンス等の作業を容易に行うこともできる。さらに、引戸本体４の側面には装置類が設けられていないため、見た目にも良い。
【００２７】
なお、本発明においては、引戸本体４は１つの場合を示しているが、これに限定されるものではなく、複数の引戸本体４を敷居上に載置した後に鴨居部材３ｂ，３ｃを組み立てて鴨居３を形成することができ、引戸本体４の上端部とバネ体８とを空間部Ｓに位置させて鴨居３に収容することができる。
【００２８】
次に、図５，図６を参照して、本発明の他の実施形態である引戸について説明する。なお、図５，図６において、図１〜図４と同じ符合を付している部分は、前述した引戸２０の構成部分と同じ機能、効果を発揮する部分であり、説明を省略する。
【００２９】
図５，図６に示す引戸４０においては、引戸本体４の上端部に凹部３７が形成され、この凹部３７に巻取りリール３８が係止具（図示せず）に固定されて設けられている。巻取りリール３８の始端３８ｃは、戸柱１ｂに設けた係止具３８ａに係止されている。引戸本体４を開けるときには、始端３８ｃが係止されたまま巻取りリール３８が凹部３７内で回転しながら巻線３８ｄが伸びていく。引戸本体４を閉じるときには、巻取りリール３８の中心部に備わる巻取りバネ３８ｂの付勢力により、巻線３８ｄが巻き取られながら引戸本体４は自動で閉じる。
【００３０】
また、引戸４０の組み立て工程については、図４Ａ，図４Ｂと同様の工程で行うことができる。なお、図４Ｂ（ｃ）において、引戸４０を設置するときには、ロータリーダンパ６を上端部に備えた引戸本体４を戸枠の敷居上に載せ、図６で示したように、ピニオンギア１０を空間部Ｓに位置させてラック９を噛み合わせる。この後に、巻取りリール３８の始端３８ｃを引戸本体４の上端部と戸柱１ｂに固定具を介して取り付ければ良い。
なお、巻取りリール３８は、引戸本体４の上端部に凹部３７を形成して設けられているが、これに限定されることはなく、凹部３７を設けずに、他の設置手段により巻線３８ｄを巻き取れるように設けても良い。
【００３１】
以上のように、引戸４０の施工時において、一旦、引戸本体４を戸枠に設置し、ロータリーダンパ６，巻取りリール３８等の装置類を空間部Ｓに位置させた後に、鴨居３を組み立てて形成して引戸４０を完成することができる。このように鴨居３を形成すれば、前記装置類は鴨居３に収容されることとなる。これにより、前記装置類を鴨居３にぶつけるなどして故障したり破損したりすることを防止することができる。
【産業上の利用可能性】
【００３２】
本発明は、建物内の窓やドア、障子等に設置される引戸として広く利用することができる。
【図面の簡単な説明】
【００３３】
【図１】本発明の実施の形態である引戸を示す正面図である。
【図２】図１に示す引戸の鴨居の一部を外した場合の上端部付近を示す正面図である。
【図３】図１におけるＡ−Ａ線断面図である。
【図４Ａ】引戸の組み立て工程を示す概略図である。
【図４Ｂ】引戸の組み立て工程を示す概略図である。
【図５】本発明の他の実施の形態であり、引戸の鴨居の一部を外した場合の上端部付近を示す正面図である。
【図６】本発明の他の実施の形態であり、図１におけるＡ−Ａ線断面図である。
【符号の説明】
【００３４】
２０  引戸
１  戸枠
１ａ，１ｂ  戸柱
２  敷居
３  鴨居
３ａ，３ｂ，３ｃ  鴨居部材
３ｂｕ，３ｂｌ，３ｃｕ，３ｃｌ  凸部
４  引戸本体
５  ネジ
６  ロータリーダンパ
７  固定具
８  バネ体
８ａ，８ｂ  係止具
９  ラック
１０  ピニオンギア
４０  引戸
３７  凹部
３８  巻取りリール
３８ａ  係止具
３８ｂ  巻取りバネ
３８ｃ  始端
３８ｄ  巻線
Ａ，Ｄ，Ｅ，Ｇ  幅
Ｂ，Ｃ  長さ
Ｆ  深さ
Ｓ  空間部
Ｘ  突出部
Ｙ  肩
【図１】
2007009491.tif 000003
【図２】
2007009491.tif 000004
【図３】
2007009491.tif 000005
【図４Ａ】
2007009491.tif 000006
【図４Ｂ】
2007009491.tif 000007
【図５】
2007009491.tif 000008
【図６】
2007009491.tif 000009